(57)【要約】      （修正有） 【課題】こたつに使用するこたつ布団及びこたつ布団の提供。【解決手段】複数枚の布４ａを連結して四角形状とし上下辺の中央及び四つ角に係止受具４ｈを取り付けた中央片と、複数枚の布５ａからなり外周の３面を縁布５ｄで縁止めし前記中央片の上下左右の四方に連設した片５、５、５、５と、前記隣り合う各片５、５同士を連結し弧を縁布６ａで縁止めした扇形の角片６、６、６、６と、複数枚の布７ａからなり外周を縁布７ｄで縁止めし上辺又は下辺の中央及び左右に係止具７ｅを取り付け前記中央片の上下に連設した片５、５の上端又は下端に折りたたみ可能に連結された延長片７、７とからなることを特徴とするこたつ布団２の構成とした。【選択図】図２
0003140384.tif 000002
【実用新案登録請求の範囲】
【請求項１】
複数枚の布を連結して四角形状とし上下辺の中央及び四つ角に係止受具を取り付けた中央片と、複数枚の布からなり外周の３面を縁布で縁止めし前記中央片の上下左右の四方に連設した片と、前記隣り合う各片同士を連結し弧を縁布で縁止めした扇形の角片と、複数枚の布からなり外周を縁布で縁止めし上辺又は下辺の中央及び左右に係止具を取り付け、前記中央片の上下に連設した片の上端又は下端に折りたたみ可能に連結された延長片とからなることを特徴とするこたつ布団。
【請求項２】
複数枚の布を連結して四角形状とし各辺の中央及び左右に係止受具を取り付けた中央片と、複数枚の布からなり外周の３面を縁布で縁止めし前記中央片の上下左右の四方に連設した片と、複数枚の布からなり外周を縁布で縁止めし外周辺の中央及び左右に係止具を取り付け前記中央片に連設した各片の外周辺に折りたたみ可能に連結された延長片とからなることを特徴とする請求項１に記載のこたつ布団。
【請求項３】
複数枚の長方形状の布を連結して長方形状とし上下辺の中央及び四つ角に係止受具を取り付けた中央片と、複数枚の四角形状の布からなり外周の３面を縁布で縁止めし前記中央片の上下に連設した片及び複数枚の長方形状の布からなり外周の３面を縁布で縁止めし前記中央片の左右に連設した片と、複数枚の布からなり外周を縁布で縁止めし上辺又は下辺の中央及び左右に係止具を取り付け前記中央片の上下に連設した片の上端又は下端に折りたたみ可能に連結された延長片とからなることを特徴とする請求項１に記載のこたつ布団。
【請求項４】
複数枚の長方形状の布を連結して長方形状とし上下辺の中央及び左右と左右辺の複数の係止受具を取り付けた中央片と、複数枚の四角形状の布からなり外周の３面を縁布で縁止めし前記中央片の上下に連設した片及び複数枚の長方形状の布からなり外周の３面を縁布で縁止めし前記中央片の左右に連設した片と、複数枚の布からなり外周を縁布で縁止めし上辺又は下辺の中央及び左右に係止具を取り付け前記中央片の上下に連設した片の上端又は下端に折りたたみ可能に連結された延長片と複数枚の長方形状の布からなり外周を縁布で縁止めし外周辺に複数の係止具をとりつけ前記中央片の左右に連設した片の外周辺に折りたたみ可能に連結された延長片とからなることを特徴とする請求項１に記載のこたつ布団。
【請求項５】
布及び裏布の各端部を内側に折返して端部同士の間に布の端部を挟んで糸で縫合し、同様に布及び裏布の各端部を内側に折り返して端部同士の間に前記布の他端を挟んで糸で縫合して片と延長片を連結したことを特徴とするこたつ布団の縫製方法。
【請求項６】
布及び裏布の各端部を内側に折り返して端部同士の間に布の端部を敷き詰めて糸で縫合し更に外側となる布及び裏布と布及び裏布の端部並びに布の端部を糸で縫合し、同様に布及び裏布の各端部を内側に折り返して端部同士の間に布の他端を挟んで糸で縫合糸更に外側となる布及び裏布と布及び裏布の端部並びに布の他端を糸で縫合して片と延長片を連結したことを特徴とするこたつ布団の縫製方法。
【請求項７】
布及び裏布からなり前記布と裏布の間に綿を敷き詰めて形成された片の一部に綿を挟まない部分を設けて布と裏布を直接重ね合わせて、その重ね合わせた部分の両端を糸で縫合したことを特徴とするこたつ布団の縫製方法。
【請求項８】
布及び裏布からなり前記布と裏布の間に綿を敷き詰め、布と裏布の一部を糸で平行に縫い合わせて折り畳み部分を形成したことを特徴とするこたつ布団の縫製方法。
【請求項９】
本考案であるこたつ布団の縫製方法は、布及び裏布からなり前記布と裏布の間に綿を敷き詰めて形成された片の一部に綿を挟まない部分を設けて布と裏布を直接重ね合わせて、その重ね合わせた部分を糸で縫合したことを特徴とするこたつ布団の縫製方法。
【請求項１０】
布及び裏布からなり前記布と裏布の間に綿を敷き詰めて形成された片の一部に円筒状にし内部に綿を詰めた布を内包させ、綿が敷き詰められた部分から隔離するように糸で布と裏布を縫合したことを特徴とするこたつ布団の縫製方法。
【請求項１１】
布及び裏布からなり、裏布の端部をそれぞれ反対方向に折り返して背中合わせとし、裏布の各端部を布に糸で縫い合わせ、更に布と裏布の間に綿を敷き詰め、布と裏布の間に綿を敷き詰めたことを特徴とするこたつ布団の縫製方法。
【考案の詳細な説明】
【技術分野】
【０００１】
本考案は、こたつに使用するこたつ布団及びこたつ布団の縫製方法に関する考案である。
【背景技術】
【０００２】
従来、こたつに使用するこたつ布団は、四角形状や円形状をしており、こたつを使用する人の腰から下半身部に掛かるように全ての辺が天板から均等に垂れ下がるように形成されている。
【０００３】
しかしながら、昼寝などのようにこたつで眠る際には、下半身部しかこたつ布団が掛からないために、身体の大部分をこたつ内に入れて寝ることがあり、このような場合に他の人はゆっくりとこたつに入ることが出来なかった。
【０００４】
また、他の人がこたつに入っている状態でもこたつで寝たい場合には上半身用に毛布等を用意して下半身はこたつの中に入れ、上半身は毛布等を掛けて寝ることがあったが、邪魔になることが多く、またそのために毛布等を用意するのも面倒であった。
【特許文献１】実開平５−４０７０５号公報
【考案の開示】
【考案が解決しようとする課題】
【０００５】
そこで、本考案は、気兼ねなくこたつで横になることができ、またこたつで横になる際にも毛布等を別途用意することなく上半身まで温めることができるこたつ布団を提供することを目的とするものである。
【課題を解決するための手段】
【０００６】
本考案は、上記の課題を解決するために、複数枚の布４ａを連結して四角形状とし上下辺の中央及び四つ角に係止受具４ｈを取り付けた中央片４と、複数枚の布５ａからなり外周の３面を縁布５ｄで縁止めし前記中央片４の上下左右の四方に連設した片５、５、５、５と、前記隣り合う各片５、５同士を連結し弧を縁布６ａで縁止めした扇形の角片６、６、６、６と、複数枚の布７ａからなり外周を縁布７ｄで縁止めし上辺又は下辺の中央及び左右に係止具７ｅを取り付け前記中央片４の上下に連設した片５、５の上端又は下端に折りたたみ可能に連結された延長片７、７とからなることを特徴とするこたつ布団２の構成とした。
【考案の効果】
【０００７】
本考案のこたつ布団は折りたたみ可能である延長片が取り付けられているため、こたつで寝る場合にこたつの中まで入り込むことなく上半身にもこたつ布団を掛けることができる。
【０００８】
また、延長片は使用しない場合に綺麗に折り畳むことが出来るため邪魔にならず、これまで使用してきた従来のこたつ布団と同じように使用することができる。
【考案を実施するための最良の形態】
【０００９】
別途毛布等を使用することなく、また他の人の邪魔にならずにこたつで寝ることが出来るこたつ布団という目的を、折りたたみ収納可能な延長片を設けることによって実現した。
【実施例１】
【００１０】
図１は本考案であるこたつ布団の斜視図、図２は本考案であるこたつ布団の平面図である。
【００１１】
図１及び図２に示すように、本考案であるこたつ布団２は、複数枚の布４ａを連結して四角形状とし上下辺の中央及び四つ角に係止受具４ｈを取り付けた中央片４と、複数枚の布５ａからなり外周の３面を縁布５ｄで縁止めし前記中央片４の上下左右の四方に連設した片５、５、５、５と、前記隣り合う各片５、５同士を連結し弧を縁布６ａで縁止めした扇形の角片６、６、６、６と、複数枚の布７ａからなり外周を縁布７ｄで縁止めし上辺又は下辺の中央及び左右に係止具７ｅを取り付け前記中央片４の上下に連設した片５、５の上端又は下端に折りたたみ可能に連結された延長片７、７とからなる。
【００１２】
図２に示すように、中央片４は複数枚の布４ａからなる四角形状をしており、裏面にも同形同大の中央片４が重ねられて外周同士を縫い合わせた袋状をしている。袋状に縫い合わされた中央片４、４の間には綿が敷き詰められており、この綿が偏らないように前記中央片４、４は糸４ｂ、４ｃで十文字状に縫い合わされている。
【００１３】
前記片５は複数枚の布５ａからなる四角形状をしており、裏面にも同形同大の片５が重ねられて外周同士を縫い合わせた袋状をしている。袋状に縫い合わされた片５、５の間には綿５ｇが敷き詰められており、この綿５ｇが偏らないように前記片５、５は糸５ｂ、５ｃで十文字状に縫い合わされている。
【００１４】
前記片５の一辺は中央片４の一辺と連結されており、残りの３辺は縁布５ｄで縁止めされている。また、連結されている中央片４と片５の境界線上は糸４ｄ、４ｅ、４ｆ、４ｇで表裏の布が縫い合わされており、綿の偏りを防止している。
【００１５】
図２に示すように前記片５は、中央片４の上下左右の各辺に連設しており平面より見た場合に十文字状をしている。
【００１６】
前記角片６は９０度角の扇形をしており、前記隣り合う片５、５同士を連結している。角片６の弧の部分は縁布６ａで縁止めがされている。
【００１７】
前記延長片７は片５とほぼ同じ形状をしている。即ち、複数枚の布７ａからなる四角形状をしており、裏面にも同形同大の延長片７が重ねられて外周同士を縫い合わせた袋状をしている。袋状に縫い合わされた延長片７、７の間には綿７ｆが敷き詰められており、この綿７ｆが偏らないように前記延長片７、７は糸７ｂ、７ｃで十文字状に縫い合わされている。
【００１８】
また、表裏に重ねられた延長片７、７の外周面は縁布７ｄにより縁止めされており、図２に示すように、延長片７、７の上辺又は下片にあたる部分には中央と左右端に係止具７ｅ、７ｅ、７ｅが取り付けられている。
【００１９】
前記延長片７は中央片４の上下に連結された片５、５に連結されており、延長片７の分だけ角片６から突出した状態となっている。
【００２０】
延長片７を連設した片５と連結している中央片４の辺には中央と左右端に係止受具４ｈ、４ｈ、４ｈが取り付けられており、図１に示すように延長片７を折り畳んで片５に重ねた際に係止具７ｅを各係止受具４ｈに掛けることで延長片７を畳んだ状態を維持することが出来る。
【００２１】
次に図３を使用して各断面の状態を説明することとする。図３は本考案であるこたつ布団の各断面図である。
【００２２】
図３のＡ−Ａ線の断面に示すように、布７ａ同士及び裏布７ｇ同士を糸７ｈで縫い合わせて布７ａと裏布７ｇの間に綿７ｆを敷き詰めた状態で布７ａ同士及び裏布７ｇ同士の連結部を糸７ｃで縫い合わせている。糸７ｃで縫い合わせることにより間に敷き詰められた綿７ｆの偏りを防ぐことが出来る。
【００２３】
上記のＡ−Ａ線の断面状態は、布４ａ同士の連結部分、布５ａ同士の連結部分及び布４ａと布５ａの連結部分においても同様である。
【００２４】
図３のＢ−Ｂ線の断面に示すように、布７ａと裏布７ｇは外周面同士を糸７ｉで縫い合わせており、更に外周の縫い合わせ部分に縁布７ｄを被せて糸７ｊにより縫い合わせている。縁布７ｄにより縁止めすることにより布７ａ、裏布７ｇのほつれや綿７ｆのはみ出しを防止することが出来る。
【００２５】
上記のＢ−Ｂ線の断面状態は、布５ａ及び裏布５ｆの外周面における縁布５ｄにおいても同様である。また、角片６については、１枚の布からできているため角片６のほつれ防止のために縁布６ａが取り付けられている。
【００２６】
図３のＣ−Ｃ線の断面に示すように、縫製方法８は、片５と延長片７の連結の際に縁布５ｄ、７ｄ同士を縫い合わせることで連結している。前記縁布５ｄ、７ｄの一部を裏面よりの位置で糸５ｅにより縫い合わせることで、延長片７が片５に折り返しやすくなり、折り返した状態でもすっきりと片５と延長片７を重ねることが出来る。
【実施例２】
【００２７】
図４は本考案であるこたつ布団の第２実施例の斜視図、図５は本考案であるこたつ布団の第２実施例の平面図である。
【００２８】
本考案であるこたつ布団２ａは、実施例１のこたつ布団２とほぼ同じ構造をしている。即ち、本考案であるこたつ布団２ａは、複数枚の布４ａを連結して四角形状とし各辺の中央及び左右に係止受具４ｈを取り付けた中央片４と、複数枚の布５ａからなり外周の３面を縁布５ｄで縁止めし前記中央片４の上下左右の四方に連設した片５、５、５、５と、前記隣り合う各片５、５同士を連結し弧を縁布６ａで縁止めした扇形の角片６、６、６、６と、複数枚の布７ａからなり外周を縁布７ｄで縁止めし外周辺の中央及び左右に係止具７ｅを取り付け前記中央片４に連設した各片５、５、５、５の外周辺に折りたたみ可能に連結された延長片７、７とからなる。
【００２９】
上記のように、こたつ布団２ａにおいては、中央片４に連設された４枚の片５、５、５、５全てに延長片７が折りたたみ可能に連設されており、どの位置に座っても延長片７を伸ばして寝ることが出来る。
【実施例３】
【００３０】
図６は本考案であるこたつ布団の第３実施例の平面図である。
【００３１】
図６に示すように、本考案であるこたつ布団２ｂは、実施例１のこたつ布団２とほぼ同じ構造をしている。即ち、本考案であるこたつ布団２ｂは、複数枚の長方形状の布４ｉを連結して長方形状とし上下辺の中央及び四つ角に係止受具４ｈを取り付けた中央片４と、複数枚の四角形状の布５ａからなり外周の３面を縁布５ｄで縁止めし前記中央片４の上下に連設した片５、５及び複数枚の長方形状の布５ｋからなり外周の３面を縁布５ｄで縁止めし前記中央片４の左右に連設した片５、５と、前記隣り合う各片５、５同士を連結し弧を縁布６ａで縁止めした扇形の角片６、６、６、６と、複数枚の布７ａからなり外周を縁布７ｄで縁止めし上辺又は下辺の中央及び左右に係止具７ｅを取り付け前記中央片４の上下に連設した片５、５の上端又は下端に折りたたみ可能に連結された延長片７、７とからなる。
【００３２】
こたつ布団２ｂでは、長方形状のこたつに使用するため中央片４は長方形状をしており、それに伴って中央片４の左右に連設される片５、５は、中央片４の上下に連設される片５、５よりも幅が広くなっている。
【実施例４】
【００３３】
図７は本考案であるこたつ布団の第４実施例の平面図である。
【００３４】
図７に示すように、本考案であるこたつ布団２ｃは、実施例３のこたつ布団２ｂとほぼ同じ構造をしている。即ち、本考案であるこたつ布団２ｃは、複数枚の長方形状の布４ｉを連結して長方形状とし上下辺の中央及び左右と左右辺の複数の係止受具４ｈを取り付けた中央片４と、複数枚の四角形状の布５ａからなり外周の３面を縁布５ｄで縁止めし前記中央片４の上下に連設した片５、５及び複数枚の長方形状の布５ｋからなり外周の３面を縁布５ｄで縁止めし前記中央片４の左右に連設した片５、５と、前記隣り合う各片５、５同士を連結し弧を縁布６ａで縁止めした扇形の角片６、６、６、６と、複数枚の布７ａからなり外周を縁布７ｄで縁止めし上辺又は下辺の中央及び左右に係止具７ｅを取り付け前記中央片４の上下に連設した片５、５の上端又は下端に折りたたみ可能に連結された延長片７、７と複数枚の長方形状の布７ｋからなり外周を縁布７ｄで縁止めし外周辺に複数の係止具７ｅをとりつけ前記中央片４の左右に連設した片５、５の外周辺に折りたたみ可能に連結された延長片７、７とからなる。
【００３５】
こたつ布団２ｃは、長方形状のこたつに使用するため実施例３のこたつ布団２ｂと同じように縦方向に長いこたつ布団とし、更に全ての片５に延長片７を連結させて、どの位置に座っても延長片７を伸ばして寝ることが出来る。
【実施例５】
【００３６】
図８は本考案であるこたつ布団の縫製方法の第２実施例を示した断面図である。図８に示すように、本考案であるこたつ布団の縫製方法８ａは、布５及び裏布５ｆの各端部を内側に折返して端部同士の間に布９の端部を挟んで糸５ｊで縫合し、同様に布７ａ及び裏布７ｇの各端部を内側に折り返して端部同士の間に前記布９の他端を挟んで糸７ｋで縫合して片５と延長片７を連結している。
【００３７】
以上のように片５と延長片７を布９で連結することによって、片５と延長片７綺麗に折り畳むことができる。
【実施例６】
【００３８】
図９は本考案であるこたつ布団の縫製方法の第３実施例を示した断面図である。図９に示すように、本考案であるこたつ布団の縫製方法８ｂは、布５及び裏布５ｆの各端部を内側に折り返して端部同士の間に布９の端部を敷き詰めて糸５ｋで縫合し更に外側にくる布５ａ及び裏布５ｆと布５及び裏布５ｆの端部並びに布９の端部を糸５ｊで縫合し、同様に布７ａ及び裏布７ｇの各端部を内側に折り返して端部同士の間に布９の他端を挟んで糸７ｌで縫合糸更に外側にくる布７ａ及び裏布７ｇと布７ａ及び裏布７ｇの端部並びに布９の他端を糸７ｋで縫合して片５と延長片７を連結している。
【００３９】
図９に示した縫製方法８ｂでは、布５（７）及び裏布５ｆ（７ｇ）の各端部同士を布９と共に縫合し、更に別の位置でも外側に来る布５（７）及び裏布５ｆ（７ｇ）とも一緒に縫合しており、片５と延長片７の連結が強化されている。
【実施例７】
【００４０】
図１０は本考案であるこたつ布団の縫製方法の第４実施例を示した断面図である。図１０に示すように、本考案であるこたつ布団の縫製方法８ｃは、布５ａ及び裏布５ｆからなり前記布５ａと裏布５ｆの間に綿５ｇを敷き詰めて形成された片５の一部に綿５ｇを挟まない部分を設けて布５ａと裏布５ｆを直接重ね合わせて、その重ね合わせた部分の両端を糸５ｊ、５ｊで縫合している。
【００４１】
こたつ布団の縫製方法８ｃでは、片５に延長片７を連結することで折りたたみ可能な片５を形成するのではなく、長い片５の一部に上記のような綿５ｇが挟まれていない部分を設けて糸５ｊ、５ｊで縫合し綺麗に折り畳むことができる部分を形成している。
【実施例８】
【００４２】
図１１は本考案であるこたつ布団の縫製方法の第５実施例を示した断面図である。図１１に示すように、本考案であるこたつ布団の縫製方法８ｄは、布５ａ及び裏布５ｆからなり前記布５ａと裏布５ｆの間に綿５ｇを敷き詰め、布５ａと裏布５ｆの一部を糸５ｊ、５ｊで平行に縫い合わせて折り畳み部分を形成した。
【００４３】
こたつ布団の縫製方法８ｄでは、片５に延長片７を連結することで折りたたみ可能な片５を形成するのではなく、長い片５の一部に上記のような折り畳み部分を設けて糸５ｊ、５ｊで縫合し綺麗に折り畳むことができる部分を形成している。
【実施例９】
【００４４】
図１２は本考案であるこたつ布団の縫製方法の第６実施例を示した断面図である。図１２に示すように、本考案であるこたつ布団の縫製方法８ｅは、布５ａ及び裏布５ｆからなり前記布５ａと裏布５ｆの間に綿５ｇを敷き詰めて形成された片５の一部に綿５ｇを挟まない部分を設けて布５ａと裏布５ｇを直接重ね合わせて、その重ね合わせた部分を糸５ｌで縫合している。
【００４５】
前記布５ａと裏布５ｆの綿５ｇのない部分は、前記糸５ｌで右から左、左から右へと交互にジグザグに縫合されて他の部分よりも薄くなっており、糸５ｌの左右の幅は均一となっている。このように布５ａ及び裏布５ｆの糸５ｌで縫合された部分が折り畳み部分となり、綺麗に折り畳むことができる。
【実施例１０】
【００４６】
図１３は本考案であるこたつ布団の縫製方法の第７実施例を示した断面図である。図１３に示すように、本考案であるこたつ布団の縫製方法８ｆは、布５ａ及び裏布５ｆからなり前記布５ａと裏布５ｆの間に綿５ｇを敷き詰めて形成された片５の一部に円筒状にし内部に綿１０ａを詰めた布９ａを内包させ、綿５ｇが敷き詰められた部分から隔離するように糸５ｋで布５ａと裏布５ｆを縫合している。
【００４７】
前述のように、円筒状の布９ａが内包されている部分には、綿５ｇは敷き詰められておらず、布９ａ内の綿１０ａが内包されている。このように片５は略楕円形状に形成された部分から綺麗に折り畳むことできる。
【実施例１１】
【００４８】
図１４は本考案であるこたつ布団の縫製方法の第８実施例を示した断面図である。図１４に示すように、本考案であるこたつ布団の縫製方法８ｇは、布５ａ及び裏布５ｆ、７ｇからなり、裏布５ｆ、７ｇの端部をそれぞれ反対方向に折り返して背中合わせとし、裏布５ｆ、７ｇの各端部を布５ａに糸５ｋで縫い合わせ、更に布５ａと裏布５ｆの間に綿５ｇを敷き詰め、布５ａと裏布７ｇの間に綿７ｆを敷き詰めている。
【００４９】
図１４に示すように、裏布５ｆ、７ｇは直接には連結されていないため、布５ａは裏布５ｆ、７ｇの境目に当たる部分から容易に折り畳むことができる。
【図面の簡単な説明】
【００５０】
【図１】本考案であるこたつ布団の斜視図である。
【図２】本考案であるこたつ布団の平面図である。
【図３】本考案であるこたつ布団の各断面図である。
【図４】本考案であるこたつ布団の第２実施例の斜視図である。
【図５】本考案であるこたつ布団の第２実施例の平面図である。
【図６】本考案であるこたつ布団の第３実施例の平面図である。
【図７】本考案であるこたつ布団の第４実施例の平面図である。
【図８】本考案であるこたつ布団の縫製方法の第２実施例を示した断面図である。
【図９】本考案であるこたつ布団の縫製方法の第３実施例を示した断面図である。
【図１０】本考案であるこたつ布団の縫製方法の第４実施例を示した断面図である。
【図１１】本考案であるこたつ布団の縫製方法の第５実施例を示した断面図である。
【図１２】本考案であるこたつ布団の縫製方法の第６実施例を示した断面図である。
【図１３】本考案であるこたつ布団の縫製方法の第７実施例を示した断面図である。
【図１４】本考案であるこたつ布団の縫製方法の第８実施例を示した断面図である。
【符号の説明】
【００５１】
１      こたつ
２      こたつ布団
２ａ    こたつ布団
２ｂ    こたつ布団
２ｃ    こたつ布団
３      天板
４      中央片
４ａ    布
４ｂ〜４ｇ    糸
４ｈ    係止受具
４ｉ    布
５      片
５ａ    布
５ｂ    糸
５ｃ    糸
５ｄ    縁布
５ｅ    糸
５ｆ    裏布
５ｇ    綿
５ｈ    糸
５ｉ    糸
５ｊ    糸
５ｋ    糸
５ｌ    糸
６      角片
６ａ    縁布
７      延長片
７ａ    布
７ｂ    糸
７ｃ    糸
７ｄ    縁布
７ｅ    係止具
７ｆ    綿
７ｇ    裏布
７ｈ    糸
７ｉ    糸
７ｊ    糸
７ｋ    糸
７ｌ    糸
８      縫製方法
８ａ    縫製方法
９      布
９ａ    布
１０      糸
１０ａ    綿
【図１】
0003140384.tif 000003
【図２】
0003140384.tif 000004
【図３】
0003140384.tif 000005
【図４】
0003140384.tif 000006
【図５】
0003140384.tif 000007
【図６】
0003140384.tif 000008
【図７】
0003140384.tif 000009
【図８】
0003140384.tif 000010
【図９】
0003140384.tif 000011
【図１０】
0003140384.tif 000012
【図１１】
0003140384.tif 000013
【図１２】
0003140384.tif 000014
【図１３】
0003140384.tif 000015
【図１４】
0003140384.tif 000016
【手続補正書】
【提出日】平成20年1月16日(2008.1.16)
【手続補正１】
【補正対象書類名】実用新案登録請求の範囲
【補正対象項目名】全文
【補正方法】変更
【補正の内容】
【実用新案登録請求の範囲】
【請求項１】
複数枚の布を連結して四角形状とし上下辺の中央及び四つ角に係止受具を取り付けた中央片と、複数枚の布からなり外周の３面を縁布で縁止めし前記中央片の上下左右の四方に連設した片と、前記隣り合う各片同士を連結し弧を縁布で縁止めした扇形の角片と、複数枚の布からなり外周を縁布で縁止めし上辺又は下辺の中央及び左右に係止具を取り付け、前記中央片の上下に連設した片の上端又は下端に折りたたみ可能に連結された延長片とからなることを特徴とするこたつ布団。
【請求項２】
複数枚の布を連結して四角形状とし各辺の中央及び左右に係止受具を取り付けた中央片と、複数枚の布からなり外周の３面を縁布で縁止めし前記中央片の上下左右の四方に連設した片と、複数枚の布からなり外周を縁布で縁止めし外周辺の中央及び左右に係止具を取り付け前記中央片に連設した各片の外周辺に折りたたみ可能に連結された延長片とからなることを特徴とする請求項１に記載のこたつ布団。
【請求項３】
複数枚の長方形状の布を連結して長方形状とし上下辺の中央及び四つ角に係止受具を取り付けた中央片と、複数枚の四角形状の布からなり外周の３面を縁布で縁止めし前記中央片の上下に連設した片及び複数枚の長方形状の布からなり外周の３面を縁布で縁止めし前記中央片の左右に連設した片と、複数枚の布からなり外周を縁布で縁止めし上辺又は下辺の中央及び左右に係止具を取り付け前記中央片の上下に連設した片の上端又は下端に折りたたみ可能に連結された延長片とからなることを特徴とする請求項１に記載のこたつ布団。
【請求項４】
複数枚の長方形状の布を連結して長方形状とし上下辺の中央及び左右と左右辺の複数の係止受具を取り付けた中央片と、複数枚の四角形状の布からなり外周の３面を縁布で縁止めし前記中央片の上下に連設した片及び複数枚の長方形状の布からなり外周の３面を縁布で縁止めし前記中央片の左右に連設した片と、複数枚の布からなり外周を縁布で縁止めし上辺又は下辺の中央及び左右に係止具を取り付け前記中央片の上下に連設した片の上端又は下端に折りたたみ可能に連結された延長片と複数枚の長方形状の布からなり外周を縁布で縁止めし外周辺に複数の係止具をとりつけ前記中央片の左右に連設した片の外周辺に折りたたみ可能に連結された延長片とからなることを特徴とする請求項１に記載のこたつ布団。